(57)【要約】【課題】  サンプリング周波数が異なる番組が連続して放送された場合でも、音切れがなく、且つ、連続性を失うこともなくスムーズに音声を出力することができる「放送受信機及び受信切り替え方法」を提供する。【解決手段】  サンプリング周波数が変化するディジタル放送を受信してＤＳＰ５により音響補正を行ったディジタル情報を選択して出力している際に、受信したディジタル放送とアナログ放送とが同一の放送内容であるか否かを比較部３ｄによって調べて両放送が同一である場合に、サンプリング周波数が変化したとき、ＤＳＰ５の設定を変更する間に、アナログ放送を受信して得られるアナログ情報を選択して出力するように切り替えスイッチ３ｂを切り替えるので、サンプリング周波数が変化した後に音声の先頭部分の途切れを防止することができる。【選択図】        図１
2005277791.tif 000002
【特許請求の範囲】
【請求項１】
サンプリング周波数が変化するディジタル放送と、アナログ放送とを受信する放送受信機において、
前記ディジタル放送を受信して得られるディジタル情報に対して、前記サンプリング周波数の変化に応じた設定により所定の処理を行う信号処理部と、
前記信号処理部により前記所定の処理が施された前記ディジタル情報又は前記アナログ放送を受信して得られるアナログ情報を選択して出力する切り替え部と、
前記ディジタル情報の選択時に、選択中のディジタル放送による放送内容と同じ内容のアナログ放送が放送されているか否かを調べる調査部と、
前記選択中のディジタル放送のサンプリング周波数が変化したときに、前記調査部により前記選択中のディジタル放送と同じ内容のアナログ放送が放送されていると判断されていることを条件として、前記切り替え部により前記アナログ情報の選択に切り替え、前記アナログ情報の選択中に前記信号処理部の設定を変更すると共に、前記信号処理部の設定の変更が終了した後に前記切り替え部により元のディジタル情報の選択に切り替えるように制御する制御部と、
を備えたことを特徴とする放送受信機。
【請求項２】
サンプリング周波数が変化するディジタル放送と、前記ディジタル放送と同じ内容のアナログ放送とを受信する放送受信機において、
前記ディジタル放送を受信して得られるディジタル情報に対して、前記サンプリング周波数の変化に応じた設定により所定の処理を行う信号処理部と、
前記信号処理部により前記所定の処理が施された前記ディジタル情報又は前記アナログ放送を受信して得られるアナログ情報を選択して出力する切り替え部と、
前記選択中のディジタル放送のサンプリング周波数が変化したときに、前記切り替え部により前記アナログ情報の選択に切り替え、前記アナログ情報の選択中に前記信号処理部の設定を変更すると共に、前記信号処理部の設定の変更が終了した後に前記切り替え部により元のディジタル情報の選択に切り替えるように制御する制御部と、
を備えたことを特徴とする放送受信機。
【請求項３】
サンプリング周波数が変化するディジタル放送と、アナログ放送とを受信する放送受信機における前記ディジタル放送と前記アナログ放送との受信切り替え方法において、
前記サンプリング周波数の変化に応じた設定に基づき信号処理部により所定の処理を行ったディジタル情報を切り替え部により選択して出力する第１のステップと、
前記ディジタル情報の選択時に、選択中のディジタル放送による放送内容と同じ内容のアナログ放送が放送されているか否かを調べる第２のステップと、
前記サンプリング周波数の変化を検出する第３のステップと、
前記第３のステップにて前記サンプリング周波数の変化を検出し、且つ、前記第２のステップにて前記選択中のディジタル放送と同じ内容のアナログ放送が放送されていると判断された場合に、前記切り替え部により前記アナログ放送を受信して得られるアナログ情報の選択に切り替え、前記アナログ情報の選択中に前記信号処理部の設定を変更する第４のステップと、
前記信号処理部の設定の変更が終了した後に前記切り替え部により元のディジタル情報の選択に切り替えるように制御する第５のステップと、
を備える受信切り替え方法。
【請求項４】
サンプリング周波数が変化するディジタル放送と、前記ディジタル放送と同じ内容のアナログ放送とを受信する放送受信機における前記ディジタル放送と前記アナログ放送との受信切り替え方法において、
前記サンプリング周波数の変化に応じた設定に基づき信号処理部により所定の処理を行ったディジタル情報を切り替え部により選択して出力する第１のステップと、
前記ディジタル情報の選択時に、前記サンプリング周波数の変化を検出する第２のステップと、
前記第２のステップにて前記サンプリング周波数の変化を検出した場合に、前記切り替え部により前記アナログ放送を受信して得られるアナログ情報の選択に切り替え、前記アナログ情報の選択中に前記信号処理部の設定を変更する第３のステップと、
前記信号処理部の設定の変更が終了した後に前記切り替え部により元のディジタル情報の選択に切り替えるように制御する第４のステップと、
を備える受信切り替え方法。
【発明の詳細な説明】
【技術分野】
【０００１】
本発明は、アナログ放送とディジタル放送とを受信可能な放送受信機及び受信切り替え方法に関し、特に、ディジタル放送を受信しているときに、放送のサンプリング周波数が変化した際の処理に関するものである。
【背景技術】
【０００２】
従来のアナログラジオ放送に比べて、ディジタルラジオ放送では、高音質（ディジタルＦＭではＣＤ同等、ディジタルＡＭではアナログＦＭ同等）、種々のデータサービス、現在のアナログ放送波より高い受信可能性（フェージングやマルチパス環境下でも高品質な音声の受信）が期待されている。そのため、ディジタルラジオ放送に関する開発が急ピッチで進められている。
【０００３】
しかしながら、アナログラジオ放送からディジタルラジオ放送への移行が完了するまでの間、放送局の多くは、使用が許可されている同じ帯域内において、アナログ放送とディジタル放送とを同時に送信する中間措置が必要である。このような中間措置に対応するシステムとして、ＩＢＯＣ（In-Band On-Channel）ディジタル音声放送が存在する。
【０００４】
このＩＢＯＣディジタル音声放送は、従来のアナログ放送と同じ周波数帯でディジタル放送を行うことが特徴である。すなわち、図４に示すように、既存のアナログ放送信号ＳＡのサイドバンドにディジタル放送信号ＳＤを追加したスペクトルとすることにより、現行のアナログラジオ帯域で（In-Band）、現行のダイヤル位置のまま（On-Channel）ディジタル放送を送信する（例えば、特許文献１参照）。ここで、一般的には、アナログ放送信号ＳＡによる番組の内容とディジタル放送信号ＳＤによる番組の内容とは同一とされている。
【特許文献１】特表２００１−５２０４７９号公報
【０００５】
ところで、ディジタル放送の中には、異なるサンプリング周波数を持つ番組を連続して放送するものがある。また、前述したディジタル放送等を受信して得られるディジタル音声情報に対して、ＤＳＰ（Digital Signal Processor）等を利用してイコライザ等による音質調整を行ったり、サラウンド効果を加えたり等の音響補正を行うことが知られている。
【０００６】
例えば、ディジタル放送受信機で受信している番組のディジタル音声情報のサンプリング周波数（ｆｓ）が９６ｋＨｚであるとき、音響補正処理を行うＤＳＰは、このサンプリング周波数に合わせた設定によりディジタル音声情報の音響補正処理を行っている。ここで、受信する番組が切り替わって、サンプリング周波数が９６ｋＨｚから４８ｋＨｚに変わったとすると、サンプリング周波数が４８ｋＨｚに変わったことがＤＳＰに通知される。ＤＳＰでは、通知されたサンプリング周波数（ｆｓ＝４８ｋＨｚ）に合わせて処理フロー等の再設定が行われる。
【０００７】
ＤＳＰでは、再設定の間は音声処理が正しく出来ないため、この間の音声出力をミュートしている。しかしながら、最近のＤＳＰは、高機能化に伴い処理フローが複雑になっており、この再設定を行う際に数秒程度の時間がかかってしまうことがある。そのため、サンプリング周波数が変わった後の番組の音声の先頭部分が途切れてしまうという問題があった。
【発明の開示】
【発明が解決しようとする課題】
【０００８】
本発明は、このような問題を解決するために成されたものであり、サンプリング周波数が異なる番組が連続して放送された場合でも、音切れがなく、且つ、連続性を失うこともなくスムーズに音声を出力できるようにすることを目的とする。
【課題を解決するための手段】
【０００９】
上記した課題を解決するために、本発明では、ディジタル放送を受信して得られるディジタル音声情報のサンプリング周波数が変化した場合に、ディジタル音声情報の出力から、ディジタル放送と同一内容のアナログ放送を受信して得られるアナログ音声情報の出力に切り替える。そして、アナログ音声情報が出力されている間に、信号処理部の設定を変化後のサンプリング周波数に応じた設定に変更し、設定が終了した後の所定のタイミングで、ディジタル放送を受信して得られるディジタル音声情報の出力に切り替えるようにしている。
【発明の効果】
【００１０】
上記のように構成した本発明によれば、サンプリング周波数が異なるディジタル放送による番組が連続して放送される場合に、サンプリング周波数が変わって信号処理部の設定を変更している間は、ディジタル放送と同一の放送内容であるアナログ放送に切り替えて再生されることとなるので、サンプリング周波数が異なる番組に切り換わったときにミュート処理をする必要がなく、音声の先頭部分が途切れてしまうことを防止することができる。従って、サンプリング周波数の変化時にも番組の音声を連続してスムーズに出力することができる。更に、信号処理部の設定の変更が終了した後に、アナログ放送からディジタル放送に切り替えるので、高品質なディジタル放送を可能な限り提供することができる。
【発明を実施するための最良の形態】
【００１１】
以下、本発明による実施形態を図面に基づいて説明する。図１は、本実施形態による放送受信機の構成例を示すブロック図である。図１に示すように、本実施形態による放送受信機１００は、アンテナ１、チューナ２、アナログ放送デコーダ３、ディジタル放送デコーダ４、ＤＳＰ５（特許請求の範囲の信号処理部に該当する）、コントローラ６（特許請求の範囲の制御部に該当する）、操作部７及び表示部８を備えて構成されている。また、前記アナログ放送デコーダ３は、アナログ復調部３ａ、切り替えスイッチ３ｂ（特許請求の範囲の切り替え部に該当する）、Ｄ／Ａ変換部３ｃ、比較部３ｄ（特許請求の範囲の調査部に該当する）を備えている。また、前記ディジタル放送デコーダ４は、ディジタル復調部４ａを備えている。
【００１２】
アンテナ１は、アナログ放送信号とディジタル放送信号とが同じ周波数帯に重畳されたディジタル音声信号、例えばＩＢＯＣのディジタル音声放送を受信する。チューナ２は、アンテナ１で受信したＩＢＯＣ放送波を処理して中間周波数（ＩＦ）信号に変換する。変換されたＩＦ信号は、アナログ放送デコーダ３及びディジタル放送デコーダ４に入力される。
【００１３】
アナログ放送デコーダ３の内部において、アナログ復調部３ａは、図示しない放送局でのアナログ変調方式に対応したアナログ復調方式に従ってＩＦ信号を復調し、その結果得られるアナログ音声情報を切り替えスイッチ３ｂの一方の入力端に出力すると共に、比較部３ｄに出力する。
【００１４】
また、ディジタル放送デコーダ４の内部において、ディジタル復調部４ａは、放送局でのディジタル変調方式に対応したディジタル復調方式に従ってＩＦ信号を復調し、その結果得られるディジタル音声情報をＤＳＰ５に出力する。
【００１５】
ＤＳＰ５では、ディジタル放送デコーダ４から出力されるディジタル音声情報を入力し、このディジタル情報に対して、イコライザによる音質調整を行ったり、サラウンド効果を加えたり等の音響補正処理を行う。このようなディジタル音声情報に対する音響補正処理は、ディジタル音声情報のサンプリング周波数が変化した場合に、新しいサンプリング周波数に応じて設定を変更して行う必要がある。そのため、ＤＳＰ５では、入力したディジタル音声情報のサンプリング周波数情報をコントローラ６より入力し、このサンプリング周波数情報に応じて設定を変更する。
【００１６】
アナログ放送デコーダ３の内部において、Ｄ／Ａ変換部３ａは、ディジタル放送デコーダ４からＤＳＰ５を介して受け取ったディジタル音声情報をアナログ音声情報に変換し、切り替えスイッチ３ｂの他方の入力端に出力すると共に、比較部３ｄに出力する。そして、比較部３ｄでは、アナログ復調部３ａから出力されるアナログ音声情報と、Ｄ／Ａ変換部３ｃから出力されるアナログ音声情報とを比較して、両者が同じ放送であるときに一致信号を、両者が同じ放送でないときに不一致信号をコントローラ６に出力する。
【００１７】
操作部７は、ＤＳＰ５における音質補正やサラウンド効果等の設定、チューナ２における選局操作等の各部の操作を行う。また、表示部８は、操作部７からの操作情報やＤＳＰ５における音質補正やサラウンド効果等の状態、ディジタル音声情報のサンプリング周波数等の情報を表示する。
【００１８】
コントローラ６は、操作部７から出力される操作信号を入力し、この操作信号により各部を制御する。例えば、コントローラ６は、チューナ２に対して選局を行うための選局信号を出力する。また、コントローラ６は、ディジタル放送デコーダ４から出力されるサンプリング周波数情報を入力し、サンプリング周波数の変化を検出する。そして、サンプリング周波数の変化を検出すると、変化後のサンプリング周波数を示すサンプリング周波数情報をＤＳＰ５に出力する。
【００１９】
また、コントローラ６は、比較部３ｄより入力した一致信号により、アナログ放送とディジタル放送とが同じ内容の番組を放送していると判断し、ＤＳＰ５にて設定が変更されている間に、常態においてＤ／Ａ変換部３ｃ側に切り替えられている切り替えスイッチ３ｂをアナログ復調部３ａ側に切り替える。そして、ＤＳＰ５の設定が終了した後の所定のタイミングで、アナログ復調部３ａ側に切り替えられている切り替えスイッチ３ｂをＤ／Ａ変換部３ｃ側に切り替える。ここで、所定のタイミングとは、例えばＤＳＰ５の設定の変更が終了した直後である。また、コントローラ６は、比較部３ｂより不一致信号を入力した場合には、前述した切り替えスイッチ３ｂの切り替えを行わない。
【００２０】
次に、本実施形態による放送受信機の動作及び受信切り替え方法を説明する。図２は、本実施形態による放送受信機の動作及び受信切り替え方法を示すフローチャートである。まず、アンテナ１では、ＩＢＯＣ放送波によって現在放送されているディジタル放送とアナログ放送とを常に受信する（ステップＳ１）。アンテナ１で受信したＩＢＯＣ放送波は、チューナ２でＩＦ信号に変換され、アナログ放送デコーダ３及びディジタル放送デコーダ４に入力される。
【００２１】
アナログ放送デコーダ３では、アナログ復調部３ａによってＩＦ信号が復調され、これにより生成されたアナログ音声情報が、切り替えスイッチ３ｂ及び比較部３ｄに入力される。
【００２２】
一方、ディジタル放送デコーダ４では、ディジタル復調部４ａによってＩＦ信号が復調され、これにより生成されたディジタル音声情報が、ＤＳＰ５に入力される。ＤＳＰ５により音響補正処理されたディジタル音声情報は、Ｄ／Ａ変換部３ｃによりアナログ音声情報に変換されて切り替えスイッチ３ｂ及び比較部３ｄに入力される。
【００２３】
そして、この比較部３ｄにおいて、アナログ復調部３ａから入力するアナログ音声情報による放送内容とディジタル復調部４ａから入力するディジタル音声情報による放送内容とを常時比較する。コントローラ６では、比較部３ｄから入力する一致信号又は不一致信号により、現在放送されているディジタル放送と同一内容の番組を放送しているアナログ放送があるかを調べる（ステップＳ２）。そして、コントローラ６は、この調べた結果を図示しないメモリ等の記憶部に記憶する。
【００２４】
ここで、通常は高品位なディジタル放送に基づいて音声を出力するように、切り替えスイッチ３ｂはＤ／Ａ変換部３ｃ側に切り替えられている。そして、コントローラ６では、現在放送されているディジタル放送に対応したサンプリング周波数を示すサンプリング周波数情報を、ディジタル放送デコーダ４から入力し、ＤＳＰ５に出力している。ＤＳＰ５では、入力したサンプリング周波数情報に基づいた設定にて音響補正処理を行っている。
【００２５】
次に、現在受信しているディジタル放送のサンプリング周波数が変化したか否かを調べる（ステップＳ３）。サンプリング周波数が変化しない場合には（ステップＳ３にてＮＯ）、ステップＳ１の処理に戻る。
【００２６】
一方、サンプリング周波数が変化した場合には（ステップＳ３にてＹＥＳ）、受信したディジタル放送とアナログ放送とが同じ内容であるか否かを前述したメモリに記憶した検索結果を参照することにより調べる（ステップＳ４）。
【００２７】
ディジタル放送とアナログ放送とが同じ内容ではない場合には（ステップＳ４にてＮＯ）、コントローラ６では、ディジタル放送デコーダ４から変化したサンプリング周波数情報を入力し、ＤＳＰ５に出力する。そして、ＤＳＰ５では、入力したサンプリング周波数情報に基づいて設定を変更する（ステップＳ５）。ここで、ＤＳＰ５の設定を変更する間、音声出力をミュートするようにしても良い。
【００２８】
一方、ディジタル放送とアナログ放送とが同じ内容である場合には（ステップＳ４にてＹＥＳ）、アナログ放送に基づいて音声を出力するように、切り替えスイッチ３ｂをアナログ復調部３ａ側に切り替える（ステップＳ６）。これにより、外部には、アナログ放送を受信して得られるアナログ音声情報が出力される。ここで、ディジタル放送と同一内容のアナログ放送が存在するかを常に調べてメモリに記憶しておき、ディジタル放送のサンプリング周波数が変化したときは、このメモリを参照するだけで良いので、サンプリング周波数の変化を検知してからアナログ音声情報への切り替えまでの時間を短くすることができる。
【００２９】
コントローラ６では、ディジタル放送デコーダ４から変化したサンプリング周波数情報を入力し、ＤＳＰ５に出力する。そして、ＤＳＰ５では、入力したサンプリング周波数情報に基づいて設定を変更する（ステップＳ７）。
【００３０】
次に、コントローラ６では、ＤＳＰ５の設定が終了したか否かを調べる（ステップＳ８）。設定が終了しない場合には（ステップＳ８にてＮＯ）、ステップＳ７の処理に戻る。
【００３１】
一方、ＤＳＰ５の処理が終了した場合には（ステップＳ８にてＹＥＳ）、ディジタル放送に基づいて音声を出力するように、切り替えスイッチ３ｂをＤ／Ａ変換部３ｃ側に切り替える（ステップＳ９）。これにより、外部には、ディジタル放送を受信して得られるディジタル音声情報がＤ／Ａ変換して出力される。
【００３２】
具体的には、図３に示すように、あるサンプリング周波数の番組Ａを放送しているときには、ディジタル放送を受信して得られるディジタル音声情報をＤ／Ａ変換した結果のアナログ音声情報を出力しており、番組Ａと異なるサンプリング周波数の番組Ｂが放送されると、ＤＳＰ５の設定を変更する間については、アナログ放送を受信して得られるアナログ音声情報を出力するようにしている。
【００３３】
以上詳しく説明したように、本実施形態によれば、ディジタル放送のサンプリング周波数の変化に応じてＤＳＰ５の設定を変更している間は、ディジタル放送と同一の放送内容であるアナログ放送に切り替えて出力するようにしたので、ＤＳＰ５の設定変更時にディジタル放送による音声出力が途絶えても、その代わりにアナログ放送による音声出力を引き続いて行うことができ、サンプリング周波数が変化した後に音声の先頭部分が途切れてしまうことを防止することができる。従って、サンプリング周波数が変化した後でも音声を連続してスムーズに出力することができる。また、ＤＳＰ５の設定が終了した後に、アナログ放送による音声の出力からディジタル放送による音声の出力に切り替えるので、高品質なディジタル放送を可能な限り提供することができる。
【００３４】
なお、本実施形態において、比較部３ｄでは、アナログ復調部３ａから入力したアナログ音声情報と、ディジタル音声情報をＤ／Ａ変換部３ｃによって変換したアナログ音声情報とを比較して、アナログ放送とディジタル放送とが同一の放送内容であるか否かを調べているが、これに限定されない。例えば、アナログ復調部３ａから出力したアナログ音声情報をディジタル音声情報に変換するＡ／Ｄ変換部を設け、このＡ／Ｄ変換部から入力したディジタル音声情報とＤＳＰ５から直接入力したディジタル音声情報とを比較して、アナログ放送とディジタル放送とが同一であるかを調べても良い。
【００３５】
また、本実施形態において、アナログ復調部３ａ側に切り替えられている切り替えスイッチ３ｂをＤ／Ａ変換部３ｃ側に切り替える所定のタイミングは、ＤＳＰ５の設定が終了した直後としたが、これに限定されない。例えば、ＤＳＰ５の設定が終了した後で、無音状態になったタイミングや、放送されている楽曲が終了したタイミング、ユーザにより放送受信機等が操作されたタイミングであっても良い。これにより、アナログ放送からディジタル放送に切り換わる際に雑音や不自然な音切れが生じても、出力される音声が無音であったり、楽曲が切り替わったり、放送受信機等の操作に伴う雑音によって紛れたりするので、ユーザに対して与える影響を少なくすることができる。
【００３６】
また、本実施形態において、比較部３ｄによってアナログ放送とディジタル放送とが同一であるかを調べているが、これに限定されない。例えば、ＩＢＯＣディジタル音声放送では、一般的にアナログ放送信号による番組の内容とディジタル放送信号による番組の内容とは同一とされているので、比較部３ｄを設けなくても良い。これにより、図２に示すフローチャートにて、ステップＳ１、ステップＳ２及びステップＳ３の処理が不要となるため、回路規模を小さくできると共に、処理を簡略化することができる。なお、ＩＢＯＣディジタル音声放送に限らず、ディジタル放送と同一のアナログ放送を受信して切り替えることができれば、どのような放送受信機であっても良い。
【００３７】
また、本実施形態において、アナログ放送及びディジタル放送を受信するチューナ２を同一としているが、これに限定されない。例えば、アナログ放送を受信するアナログチューナとディジタル放送を受信するディジタルチューナとを別々に設けても良い。
【００３８】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００３９】
本発明は、サンプリング周波数が変化するようなディジタル放送を受信する放送受信機に有用である。
【図面の簡単な説明】
【００４０】
【図１】本実施形態による放送受信機の構成例を示すブロック図である。
【図２】本実施形態による放送受信機の動作及び受信切り替え方法を示すフローチャートである。
【図３】本実施形態による放送受信機の切り替えタイミングを示す図である。
【図４】ＩＢＯＣによるディジタル放送信号及びアナログ放送信号のスペクトルを示す図である。
【符号の説明】
【００４１】
１    アンテナ
２    チューナ
３    アナログ放送デコーダ
３ａ    アナログ復調部
３ｂ    切り替えスイッチ
３ｃ    Ｄ／Ａ変換部
３ｄ    比較部
４    ディジタル放送デコーダ
４ａ    ディジタル復調部
５    ＤＳＰ
６    コントローラ
７    操作部
８    表示部
【図１】
2005277791.tif 000003
【図２】
2005277791.tif 000004
【図３】
2005277791.tif 000005
【図４】
2005277791.tif 000006